(57)【要約】【課題】複数の撮影システムを有する断層撮影装置の機能性を拡張する。【解決手段】それぞれ検査範囲（３）の投影（４，５，６，７，８）を検出する少なくとも２つの撮影システム（１，２）を備え、検査範囲（３）の高速ボリューム走査を行うための断層撮影装置において、共通な回転軸線（９）の周りにおける両撮影システム（１，２）の回転と、回転軸線（９）の方向への検査対象（３）と両撮影システム（１，２）との相互の相対移動とは、次のように、すなわち第１の撮影システム（１）により検出された投影（４，６，８）における検査範囲（３）の投影隙間（１０，１１）が第２の撮影システム（２）による投影（５，７）によって補充可能であるように行なわれる。【選択図】図３
2006280927.tif 000002
【特許請求の範囲】
【請求項１】
それぞれ検査範囲（３）の投影（４，５，６，７，８）を検出する少なくとも２つの撮影システム（１，２）を備え、検査範囲（３）の高速ボリューム走査を行うための断層撮影装置において、共通な回転軸線（９）の周りにおける両撮影システム（１，２）の回転と、回転軸線（９）の方向への検査対象（３）と両撮影システム（１，２）との相互の相対移動とは、次のように、すなわち第１の撮影システム（１）により検出された投影（４，６，８）における検査範囲（３）の投影隙間（１０，１１）が第２の撮影システム（２）による投影（５，７）によって補充可能であるように行なわれることを特徴とする断層撮影装置。
【請求項２】
両撮影システム（１，２）は１つの測定平面（１２）に配置されていることを特徴とする請求項１記載の断層撮影装置。
【請求項３】
両撮影システム（１，２）は回転方向（２８）に互いに９０°ずらされて配置されていることを特徴とする請求項１又は２記載の断層撮影装置。
【請求項４】
両撮影システム（１，２）は、放射線を発生するためにそれぞれ１つの放射器（１３；１４）を有し、投影（４，６，８；５，７）を検出するためにそれぞれ１つの検出器（１５；１６）を有することを特徴とする請求項１乃至３の１つに記載の断層撮影装置。
【請求項５】
両検出器（１５，１６）は行および列に並べられた複数の検出器要素（１７）を有し、検出器要素（１７）はそれぞれ放射線の減弱に依存した減弱値を発生することを特徴とする請求項４記載の断層撮影装置。
【請求項６】
両撮影システム（１，２）は同じ大きさの測定視野（１９）を有することを特徴とする請求項１乃至５の１つに記載の断層撮影装置。
【請求項７】
両撮影システム（１，２）の測定視野（１８，１９）は調整可能に構成されていることを特徴とする請求項６記載の断層撮影装置。
【請求項８】
両撮影システム（１，２）の投影（４，５，６，７，８）から１つの画像の再構成が実行可能であることを特徴とする請求項１乃至７の１つに記載の断層撮影装置。
【請求項９】
断層撮影装置はコンピュータ断層撮影装置（３０）であることを特徴とする請求項１乃至８の１つに記載の断層撮影装置。
【請求項１０】
検査範囲（３）の投影（４，５，６，７，８）を検出する少なくとも２つの撮影システム（１，２）を含む断層撮影装置による検査範囲（３）の高速ボリューム走査方法において、共通な回転軸線（９）の周りにおける両撮影システム（１，２）の回転と、回転軸線（９）の方向への検査対象（３）と両撮影システム（１，２）との相互の相対移動とは、次のように、すなわち第１の撮影システム（１）により検出された投影（４，６，８）における検査範囲（３）の投影隙間（１０，１１）が第２の撮影システム（２）による投影（５，７）によって補充されるように行なわれることを特徴とする断層撮影装置による検査範囲の高速ボリューム走査方法。
【請求項１１】
両撮影システム（１，２）の投影（４，５，６，７，８）が１つの測定平面（１２）で行なわれることを特徴とする請求項１０記載の方法。
【請求項１２】
両撮影システム（１，２）は回転方向（２９）に９０°互いにずらされて配置されていることを特徴とする請求項１０又は１１記載の方法。
【請求項１３】
両撮影システム（１，２）は、放射線を発生するためにそれぞれ１つの放射器（１３；１４）を有し、投影（４，６，８；５，７）を検出するためにそれぞれ１つの検出器（１５；１６）を有することを特徴とする請求項１０乃至１２の１つに記載の方法。
【請求項１４】
両検出器（１５，１６）は行および列に並べられた複数の検出器要素（１７）を有し、検出器要素（１７）はそれぞれ放射線の減弱に依存した減弱値を発生することを特徴とする請求項１３記載の方法。
【請求項１５】
両撮影システム（１，２）の投影は同じ大きさの測定視野（１９）を検出することを特徴とする請求項１０乃至１４の１つに記載の方法。
【請求項１６】
測定視野（１８，１９）は調整可能であることを特徴とする請求項１５記載の方法。
【請求項１７】
両撮影システム（１，２）の投影（４，５，６，７，８）から１つの画像の再構成が行なわれることを特徴とする請求項１０乃至１６の１つに記載の方法。
【請求項１８】
断層撮影装置はコンピュータ断層撮影装置（３０）であることを特徴とする請求項１０乃至１７の１つに記載の方法。
【発明の詳細な説明】
【技術分野】
【０００１】
本発明は、それぞれ検査範囲の投影を検出する少なくとも２つの撮影システムを備え、検査範囲の高速ボリューム走査を行うための断層撮影装置に関する。更に、本発明はこのような断層撮影装置による検査範囲の高速ボリューム走査方法に関する。
【背景技術】
【０００２】
２つの撮影システムを備えた断層撮影装置は知られている（例えば、特許文献１、特許文献２および特許文献３参照）。1つのみの撮影システムしか持たない装置に比べたこのような断層撮影装置における文献に開示された利点は、高められた走査速度でまたは高められた走査分解能で対象を走査することができることにある。
【０００３】
高い走査速度は、再構成された画像におけるモーションアーチファクトを最小化しようとする場合に有利である。高い走査速度は、１つの画像の再構成に使用される全ての投影が、種々の回転角位置から最大限に対象の同一の運動状態、例えば心臓の同一の心時相を検出することを保証する。公知の断層撮影装置の場合には両撮影システムが共通な回転軸線の周りに配置され、かつ回転方向に９０°の角度ずらされて配置されているので、適切な再構成方法を使用すれば走査速度を倍増することができる。
【０００４】
しかし、複数の撮影システムを備えた断層撮影装置はより高い分解能を有する画像を作成するためにも使用される。撮影システムは、このために、共通な回転軸線の周りに、両撮影システムの投影が同一の投影方向に関して１つの検出器要素よりも小さい相互のずれを有するように配置されている。両撮影システムによって時間的に相前後してそれぞれ投影方向から検出された投影の評価によって、高分解能画像が算出可能である。高分解能は例えば小さい検査ボリュームが走査されなければならない血管の検査の場合に有利である。
【０００５】
走査速度を高めるための作動方式においても、走査分解能を高めるための作動方式においても、両撮影システムによって発生された投影が画像の再構成のために相互計算される。この場合に、データの計算は、撮影システムが共通な回転軸線の周りの方位角方向に配置されている角度であるシステム角の認識に基づいて行なわれる。
【特許文献１】米国特許第４９９１１９０号明細書
【特許文献２】独国特許第２９５１２２２号明細書
【特許文献３】独国特許第１０３０２５６５号明細書
【発明の開示】
【発明が解決しようとする課題】
【０００６】
本発明の課題は、複数の撮影システムを備えた断層撮影装置の機能性を拡張することができる断層撮影装置およびこの断層撮影装置による検査範囲の高速ボリューム走査方法を提供することにある。
【課題を解決するための手段】
【０００７】
断層撮影装に関する課題は、本発明によれば、それぞれ検査範囲の投影を検出する少なくとも２つの撮影システムを備え、検査範囲の高速ボリューム走査を行うための断層撮影装置において、共通な回転軸線の周りにおける両撮影システムの回転と、回転軸線の方向への検査対象と両撮影システムとの相互の相対移動とは、次のように、すなわち第１の撮影システムにより検出された投影における検査範囲の投影隙間が第２の撮影システムによる投影によって補充可能であるように行なわれることによって解決される。
【０００８】
断層撮影装に関する本発明の実施態様は次の通りである。
両撮影システムは１つの測定平面に配置されている（請求項２）。
両撮影システムは回転方向に互いに９０°ずらされて配置されている（請求項３）。
両撮影システムは、放射線を発生するためにそれぞれ１つの放射器を有し、投影を検出するためにそれぞれ１つの検出器を有する（請求項４）。両検出器は行および列に並べられた複数の検出器要素を有し、検出器要素はそれぞれ放射線の減弱に依存した減弱値を発生する（請求項５）。
両撮影システムは同じ大きさの測定視野を有する（請求項６）。両撮影システムの測定視野は調整可能に構成されている（請求項７）。
両撮影システムの投影から１つの画像の再構成が実行可能である（請求項８）。
断層撮影装置はコンピュータ断層撮影装置である（請求項９）。
【０００９】
断層撮影装置による検査範囲の高速ボリューム走査方法に関する課題は、本発明によれば、検査範囲の投影を検出する少なくとも２つの撮影システムを含む断層撮影装置による検査範囲の高速ボリューム走査方法において、共通な回転軸線の周りにおける両撮影システムの回転と、回転軸線の方向への検査対象と両撮影システムとの相互の相対移動とは、次のように、すなわち第１の撮影システムにより検出された投影における検査範囲の投影隙間が第２の撮影システムによる投影によって補充されるように行なわれることによって解決される。
【００１０】
断層撮影装置による検査範囲の高速ボリューム走査方法に関する本発明の実施態様は次の通りである。
両撮影システムの投影が１つの測定平面で行なわれる（請求項１１）。
両撮影システムは回転方向に９０°互いにずらされて配置されている（請求項１２）。
両撮影システムは、放射線を発生するためにそれぞれ１つの放射器を有し、投影を検出するためにそれぞれ１つの検出器を有する（請求項１３）。両検出器は行および列に並べられた複数の検出器要素を有し、検出器要素はそれぞれ放射線の減弱に依存した減弱値を発生する（請求項１４）。
両撮影システムの投影は同じ大きさの測定視野を検出する（請求項１５）。測定視野は調整可能である（請求項１６）。
両撮影システムの投影から１つの画像の再構成が行なわれる（請求項１７）。
断層撮影装置はコンピュータ断層撮影装置である（請求項１８）。
【００１１】
本発明に従って、断層撮影装置はそれぞれ検査範囲の投影を検出する少なくとも２つの撮影システムを有し、断層撮影装置のいわゆるスパイラル動作（または、いわゆるヘリカルスキャン動作）において、共通な回転軸線の周りにおける両撮影システムの回転と、回転軸線の方向への検査対象と両撮影システムとの相互の相対移動とは、次のように、すなわち第１の撮影システムにより行なわれる投影における検査範囲の投影隙間が第２の撮影システムによる投影によって補充可能であるように行なわれる。
【００１２】
投影隙間の補充は、両撮影システムが固定設定された角度だけ回転方向に互いにずらされて配置されている場合に成功する。それにより、各回転において、異なる時点で投影方向ごとにそれぞれ２つの投影を検出することができる。スパイラル走査の際に同時に行なわれる回転軸線方向への検査範囲の送りによって、同一の投影方向についての投影が回転軸線に沿った異なる位置で撮影されるので、第２の撮影システムの投影が、検査範囲において第１の撮影システムの投影によってカバーされない他の部分範囲を検出する。従って、1つのみの撮影システムによるスパイラル走査の際の高い送り速度によって検査範囲に生じる投影隙間は、第２の撮影システムの投影によって補充することができる。
【００１３】
コンピュータ断層撮影装置によるスパイラル走査において、ピッチ値は、ガントリの１回転当たりのテーブル板もしくは検査範囲の送りと検出器のスライス厚との比を指定する。1つのみの撮影システムにより例えば２５０ｍｍの直径の検査範囲をスパイラル走査する場合、３２×０．６ｍｍ行の検出器の照射のためにほぼ２５°のＸ線コーン角が設定されていると、検査範囲内に投影隙間が生じることなしに、１．７の最大ピッチ値が予め与えられる。これとは違って、方位角方向に９０°互いにずらされた２つの撮影システムを備えた本発明によるコンピュータ断層撮影装置の場合、投影隙間が発生することなく、約１．７５倍高いピッチ値３で走査を行なうことができる。
【００１４】
投影隙間が発生しない検査範囲のこのような高速送りは、唯一の撮影システム使用時には検出器が回転軸線の方向に相応に大きな広がりを有しかつＸ線放射器によって発生させられるＸ線ビームが相応に大きなコーン角を有する場合にしか得られない。
【００１５】
しかしながら、回転軸線の方向に大きな広がりを有する検出器の構成は高価であり、このＸ線ビームの拡張はＸ線放射器に、電子線に対する陽極板の激しい傾斜によって生じる高い熱負荷を招く。更に、各投影において多数の検出器行を用いる検出器の使用によって、画像再構成計算のためのアルゴリズムの複雑性が高まる。
【００１６】
本発明は、1つのみの撮影システムを備えた断層撮影装置に対する、特に高速ボリューム走査のために構想された効率的な代替えである。しかし、本発明によって、少なくとも２つの撮影システムを有する断層撮影装置の機能性も拡張される。モーションアーチファクトの低減を可能にする高い走査速度と、特に小さい走査ボリュームの検出を保証する高い走査分解能とで検査範囲を走査する既知の作動方式に加えて、本発明による断層撮影装置は、特に高速ボリューム走査が可能である別の作動方式で動作することができる。
【００１７】
原理的には、高速ボリューム走査を行うための本発明による断層撮影装置については、両撮影システムが回転軸線の方向に互いにどのように配置されているかは重要ではない。しかしながら、断層撮影装置のできるだけ広範な使用分野を考慮すると、両撮影システムを１つの測定平面内に配置する、すなわち回転軸線の方向にずれなしに配置すると有利である。この場合に、スパイラルスキャンによる高速ボリューム走査が可能になるだけではない。付加的に、両撮影システムによって同じ走査ボリュームが回転軸線の方向に検出されなければならない冒頭に述べた高い走査速度で走査を実現することもできる。
【００１８】
両撮影システムは回転方向に互いに９０°ずらされて配置されていると好ましい。両撮影システムの９０°のずれによって、１つの投影平面について検出される２つの相前後する投影の間の時間差が最大であるので、回転軸線の方向への検査範囲の送りによるスパイラル走査時に、第２の撮影システムの投影によって検出されて投影隙間の補充に用いることができる部分範囲も最大である。
【００１９】
両撮影システムは、例えばコンピュータ断層撮影装置の場合にそうであるように、放射線を発生するためにそれぞれ１つの放射器を有し、かつ投影を検出するためにそれぞれ１つの検出器を有すると好ましい。この場合に、両検出器は行および列に並べられた複数の検出器要素を有し、検出器要素はそれぞれ放射線の減弱に依存した減弱値を発生すると好ましい。
【００２０】
本発明の有利な実施態様において、両撮影システムは同じ大きさの測定視野を有する。しかしながら、測定視野を異なる大きさに設定することも考え得る。この場合に、高速ボリューム走査は、好ましくは、できるだけ大きな共通の測定視野をカバーする両撮影システムの投影のそれぞれの部分範囲に基づいて行なわれる。しかしながら、検査範囲の走査のために、両撮影システムの小さいほうの測定視野よりも大きい測定視野が使用されてもよい。この場合に測定視野の部分範囲に依存した画像再構成が行なわれる。両撮影システムの共通な最大測定視野に相当する測定視野の内側部分範囲が両撮影システムの投影によって隙間なしにカバーされるので、回転軸線の方向での画像分解能の損失なしに再構成が可能である。これとは違って、外側測定視野は、小さい測定視野により第２の撮影システムによってカバーされない投影隙間を有する。不足情報が隣接する投影により置換もしくは補間されるこの部分範囲では、回転軸線の方向の分解能損失を伴ってしか再構成が可能ではない。
【００２１】
しかしながら、理想的には、両撮影範囲の測定視野は調整可能に構成されているので、検査条件に整合した設定を行なうことができる。
【００２２】
画像再構成は両撮影システムの取得された投影に基づいて行なわれるのが好ましく、各投影を一義的にジオメトリに割り当てるために、回転軸線の方向への移動位置および撮影システムの回転方向への角度位置が検出されて継続処理される。
【発明を実施するための最良の形態】
【００２３】
本発明の実施例ならびに従属請求項による本発明の他の有利な実施態様が以下の概略図に示されている。
図１は２つの撮影システムを備え検査範囲の高速ボリューム走査を行うための本発明による断層撮影装置全体を斜視図で示し、
図２は両撮影システムを横断面図で示し、
図３は検査範囲の隙間のない走査を行うための投影平面における両撮影システムの投影を示す。
【００２４】
図１には、本発明による断層撮影装置、ここではコンピュータ断層撮影装置３０が斜視図で示されている。
【００２５】
コンピュータ断層撮影装置３０の内部には、多数の異なる投影方向３１，３２から検査範囲３の投影４，５，６，７，８を検出するために、１つのガントリ上に回転可能に配置された２つの撮影システム１，２が存在する。第２の撮影システム２は、第１の撮影システム１に対して図示の回転方向２８に９０°の角度ずれを有する。両撮影システム１，２はほぼ同一の測定平面１２内にある。
【００２６】
コンピュータ断層撮影装置には、対象２４、例えば患者２９が横たわれる移動可能なテーブル板２３を備えた寝台装置２２が付設されている。テーブル板２３は回転軸線９の方向に移動可能であるので、コンピュータ断層撮影装置のハウジング２７における開口を通して、対象２４に関する検査範囲３を、両撮影システム１，２の測定視野１８，１９内へ移動させることができる。対象２４の検査範囲３および両撮影システム１，２はこのようにして互いに相対的に移動可能である。
【００２７】
投影４，５，６，７，８を検出するために、両撮影システム１，２は、それぞれＸ線管の形の１つの放射器１３；１４と、これに対向配置された１つの検出器１５；１６とを有する。各検出器１５；１６は複数の行および列に並べられた検出器要素１７を含む。各放射器１３；１４は、撮影システム１；２のそれぞれの測定視野１８；１９を透過するファンビームの形のＸ線を発生する。引続いてＸ線はそれぞれの検出器１５；１６の検出器要素１７に入射する。検出器要素１７は、撮影システム１；２のそれぞれの測定視野１８；１９を通過するＸ線の減弱に依存した減弱値を発生する。Ｘ線を減弱値に変換することは、例えばその都度、シンチレータに光学的に結合されたフォトダイオードにより、あるいは直接変換形半導体により行なわれる。各検出器１５；１６は、このようにして、撮影システム１；２の特別な投影方向３１；３２について取得された減弱値セットを発生する。
【００２８】
ガントリを回転させ、同時に検査範囲３を回転軸線９の方向へ連続的に送りこむことによって、回転軸線９もしくは検査範囲３に沿った種々の位置３３，３４，３５，３６において多数の異なる投影方向３１，３２から投影４，５，６，７，８が検出される。両撮影システム１，２のこのようにして取得された投影４，５，６，７，８が計算ユニット２５に伝達されて画像算出が行なわれる。画像の本来の再構成の前に公知の補間法に基づいて、検査範囲３の移動がなく、従って撮影システム１，２の回転のみの場合にコンピュータ断層撮影装置３０の測定平面１２に対して垂直な投影平面において得られるであろう投影が、スパイラル走査における回転軸線９の方向に隣接する投影から補間される。しかしながら、この種の前処理は、通常の方法によれば、検査範囲３の走査時に検査範囲３の投影隙間１０，１１が発生しない場合にのみ画像分解能の損失なしに可能である。この種の投影隙間１０，１１は本発明による断層撮影装置もしくは本発明による方法に基づいて回避されるので、画像を再構成するために公知の前処理方法を使用することができる。再構成された画像は表示ユニット２６で操作者に視覚的に表示可能である。
【００２９】
図２は両撮影システム１，２の細部を示す。横断面図において、それぞれ多数の検出器要素１７を有する検出器１５，１６の１つの行が示され、それぞれ１つの検出器要素１７のみが符号を付されている。検出器１５，１６の両測定視野は異なる大きさであるので、両撮影システム１，２にとって異なる大きさの検出可能なＸ線ビームが生じる。検出可能なＸ線ビームの最大のファン開き角は、例えば、第１の撮影システム１においては５５°であり、第２の撮影システムにおいては２５°である。検査範囲３の回転走査のために、第１の撮影システム１に対して直径５００ｍｍの最大測定視野がもたらされ、第２の撮影システム２に対して直径２５０ｍｍの最大測定視野がもたらされる。第１の測定視野１８は典型的には患者の身体横断面全体を走査するために用いられ、これに対して第２の測定視野１９は患者の心臓領域を走査するために使用される。
【００３０】
両撮影システム１，２にはそれぞれ調整可能な絞り２０；２１が付設され、調整可能な絞り２０；２１により、それぞれの撮影システム１；２のＸ線を任意の測定視野に設定することができる。次の例のために、ファン開き角は、絞り設定によって、両撮影システム１，２が図示のごとく２５０ｍｍ直径の同一の測定視野１９を囲むように選ばれる。更に、コーン角は、相応の絞り設定によって、それぞれの検出器１５，１６の３２×０．６ｍｍ行が照射されるように設定される。従って、両測定視野は回転軸線の方向にも方位角方向にも同一の広がりを有する。
【００３１】
コンピュータ断層撮影装置３０は、このように設定された測定視野１９を有する唯一の撮影システム１を使用する際に、１．７の最大ピッチ値で検査対象３のスパイラル走査を行なうと、走査すべき検査対象３において投影隙間が生じることなしに動作する。この場合にピッチ値は、ガントリの１回転当たりの回転軸線９の方向へのテーブル送りもしくは検査範囲３の送りと、測定視野１９もしくは検出器１５によって検出されるスライス厚との比から算出される。
【００３２】
予め与え得る最大ピッチ値は、本発明によるコンピュータ断層撮影装置において、図３に示されているように、第１の撮影システム１により検出された投影４，６，８における検査範囲３の投影隙間１０，１１が、第２の撮影システム２による投影５，７によって補充されることにより著しく高めることができる。図３は、同一の投影平面１２において互いに１８０°ずれた２つの投影方向３１，３２からスパイラルスキャン中に得られる両撮影システム１，２の投影４，５，６，７，８を詳しく示す。
【００３３】
両撮影システム１，２の一回転ごとに、各投影方向３１；３２において２つの投影４，５；６，７が検出される。回転方向２８への両撮影システム１，２のずれによって、両撮影システム１，２は同じ投影方向３１；３２を同時ではなくて異なる時点３３，３４；３５，３６で通過する。投影４，５；６，７は、この理由から、同じ位置ではなく、検査範囲の送りに依存して回転軸線９の方向への異なる位置３３，３４；３５，３６で撮影される。第１の撮影システム１のみによる走査時に高く設定されたピッチ値の場合に生じる投影隙間１０，１１は、第２の撮影システム２の投影５，７によって、各１回転時に補充される。
【００３４】
直径２５０ｍｍの予め与えられた測定視野１９の場合に、このようにして、ピッチ値は、検査範囲３内に投影隙間１０，１１を発生させることなく最大で３まで設定可能である。従って、この例では、ボリューム走査はこのような撮影システムを1つしか持たないコンピュータ断層撮影装置に比べて１．７５倍高速で行なうことができる。このような高速ボリューム走査は、1つのみの撮影システムによれば、検出器が３２×０．６ｍｍ行の代わりに５６×０．６ｍｍ行から構成されている場合にのみ可能である。しかしながら、このような検出器の構成は多大な費用のもとでしか可能でない。更に、拡張されたビームジオメトリにより、投影から画像情報を算出するために使用しなければならない再構成アルゴリズムの複雑性が増大する。本発明による断層撮影装置は検査範囲の高速ボリューム走査のための効率的な可能性を提供する。
【００３５】
予め与え得る最大ピッチ値およびそれにともなう１つのみの撮影システムによる走査に対する利点は一連の異なる要因に依存する。主たる影響要因は、両撮影システムの方位角方向への相互のずれ、走査平面において検査範囲の走査に必要な測定視野の大きさ、ならびに検出器および放射器の幾何学的配置である。
【００３６】
しかしながら、高速ボリューム走査は、放射器がファンビームを放射する場合にだけ可能であるというわけではない。同様に、拡散ビームまたは平行ビームを発生する放射器を備え共通な回転軸線の周りで回転可能に配置された２つの撮影システムを用いて、高速ボリューム走査を行なうことも考えられ得る。
【００３７】
画像、例えばスライス画像もしくはボリューム画像を再構成するために、両撮影システム１，２の投影４，５，６，７，８が相互計算される。検出された投影４，５，６，７，８は、このために、例えば計算ユニット２５またはそれとは別に設けられた再構成ユニットに伝達される。画像は、回転角位置および回転軸線９の方向における撮影位置の認識のもとに、公知の再構成アルゴリズムにより算出可能である。
【図面の簡単な説明】
【００３８】
【図１】２つの撮影システムを備え検査範囲の高速ボリューム走査を行うための本発明による断層撮影装置全体を示す概略斜視図
【図２】両撮影システムを示す横断面図
【図３】検査範囲の隙間のない走査を行うための投影平面における両撮影システムの投影を示す説明図
【符号の説明】
【００３９】
１        第１の撮影システム
２        第２の撮影システム
３        検査範囲
４        投影
５        投影
６        投影
７        投影
８        投影
９        回転軸線
１０        投影隙間
１１        投影隙間
１２        測定平面
１３        放射器（Ｘ線管）
１４        放射器（Ｘ線管）
１５        検出器
１６        検出器
１７        検出器要素
１８        測定視野
１９        測定視野
２０        調整可能な絞り
２１        調整可能な絞り
２２        寝台装置
２３        テーブル板
２４        対象
２５        計算ユニット
２６        表示ユニット
２７        ハウジング
２８        回転方向
２９        患者
３０        コンピュータ断層撮影装置
３１        投影方向
３２        投影方向
【図１】
2006280927.tif 000003
【図２】
2006280927.tif 000004
【図３】
2006280927.tif 000005